(57)【要約】  揺れの防止装置が船舶の航行の妨げになることを防止するとともに、航行の妨げになることを防止するための作業に手間がかからないことを可能とした滑走型船舶を提供する。  １対の縦通し板8の上部間に天板13が設置されることにより、船底板5、船尾板7、船側板6の前部、１対の縦通し板8および天板13によって水槽12が形成されている。貫通孔14が船尾板7に設けられている。天板13の船首側端部に、水槽12内と水槽12外とを連通するための連通管15が設置されている。
2016080272.tif 000002
【特許請求の範囲】
【請求項１】
船底上に水槽が設けられており、水槽の船尾側の壁における喫水線よりも下方位置に、貫通孔が形成されていることを特徴とする滑走型船舶。
【請求項２】
天板の船首側端部に、水槽内と水槽外とを連通するための連通管が設置されていることを特徴とする請求項１の滑走型船舶。
【請求項３】
貫通孔を開閉する蓋を備えている請求項１の滑走型船舶。
【請求項４】
貫通孔を開閉する蓋を備えている請求項２の滑走型船舶。
【請求項５】
船体は、船底を形成する船底板と、船側面および船首を形成する左右の船側板と、船尾を形成する船尾板と、船尾板と船側板の前部との間において船舶進行方向にのび船底板の上面に下面が固定された複数本の縦通し板とを有しており、１対の縦通し板の上部間に天板が設置されることにより、１対の縦通し板および天板と、これらを囲む船底板、船尾板および船側板の各部分によって前記水槽が形成されており、前記貫通孔が船尾板に設けられていることを特徴とする請求項１から４までのいずれかの滑走型船舶。
【請求項６】
船体の左右両側にそれぞれ１つずつエンジンが配置されており、前記水槽は、中央に１つ配置されていることを特徴とする請求項１から４までのいずれかに記載の滑走型船舶。
【請求項７】
船体の中央にエンジンが配置されており、前記水槽は、エンジンを挟むように２つ互いに平行となるように左右に配置されていることを特徴とする請求項１から４までのいずれかに記載の滑走型船舶。
【請求項８】
請求項５の滑走型船舶の製造方法であって、縦通し板として、既存の船舶に設けられているものを使用する工程と、天板を設置する工程と、貫通孔を形成する工程と、連通管を設置する工程とからなる滑走型船舶の製造方法。
【発明の詳細な説明】
【技術分野】
【０００１】
この発明は、滑走型船舶、特に停船時の揺れを防止した滑走型船舶に関する。
【背景技術】
【０００２】
釣り船、漁船、レジャーボートなどの滑走型の小型船舶では、海や湖などの水面に停船した状態で、釣りなどの作業を行うことから、船舶における停船時の揺れの防止が課題となっている。特許文献１には、舵板および舵板移動機構を備えており、舵板を水中に浸漬することで、船舶の揺れを防止し、航行時には舵板を水中から抜き出すことで、船舶航行時に舵板が抵抗となることを防ぐ船体安定機構（揺れの防止装置）が開示されている。
【先行技術文献】
【特許文献】
【０００３】
【特許文献１】特開２００４−５８７７２号公報
【発明の概要】
【発明が解決しようとする課題】
【０００４】
船舶における停船時の揺れの防止においては、揺れの防止装置が船舶の航行の妨げになることを防止することが必要であり、また、航行の妨げになることを防止するための作業に手間がかからないことが望まれている。【０００５】
特許文献１のものでは、航行時には舵板を舵板移動機構を使用して水中から抜き出すことで、航行の妨げになることを防止しており、航行の妨げになることを防止するための作業に手間がかかるという問題があった。【０００６】
この発明の目的は、揺れの防止装置が船舶の航行の妨げになることを防止するとともに、航行の妨げになることを防止するための作業に手間がかからないことを可能とした滑走型船舶を提供することにある。
【課題を解決するための手段】
【０００７】
この発明による滑走型船舶は、船底上に水槽が設けられており、水槽の船尾側の壁における喫水線よりも下方位置に、貫通孔が形成されていることを特徴とするものである。【０００８】
水槽の船尾側の壁の喫水線（静水面に浮いている船体の水面と接する線）よりも下方位置に貫通孔が形成されているので、停船時においては、船体外部から水槽内へ水（海水または淡水）が流入し、これにより、船舶の総重量が増加するとともに、重心が下がる。したがって、停船時における船舶の揺れが防止される。【０００９】
水槽は、例えば、ＦＲＰ（繊維強化プラスチック）製とされるが、これに限定されるものではない。水槽は、船尾から船首までのほぼ全長にわたって延びる略直方体状のものが好ましい。【００１０】
滑走型船舶では、航行を開始して、走行速度がある値以上になると、船首が浮き上がって、船尾の水が切れ始める。このため、水槽は、船首側が上になるように傾き、船尾外側で水が切れていることから、船体外に排出される。したがって、高速航行時には、水槽が空になった状態で走行することになり、水槽設置に伴う走行抵抗の増加については、空の水槽の増加分だけとなって、揺れの防止装置を備えていない船舶とほぼ同等になる。こうして、揺れの防止装置が船舶の航行の妨げになることが防止される。【００１１】
上記において、停船時における船体外部から水槽内への水の導入および航行時における水槽内から船体外部への水の排出は、停船および航行に伴って行われ、航行の妨げになることを防止するための作業に手間がかかることはない。【００１２】
天板の船首側端部に、水槽内と水槽外とを連通するための連通管が設置されていることが好ましい。【００１３】
このようにすると、船体外部から水槽内へ水が導入されるに際し、船首側の水槽内圧力が大気圧に維持され、水の導入が容易となるとともに、水槽内から船体外部の空間へ水が排出されるに際し、船首側の水槽内圧力が大気圧に維持され、水の排出が容易となる。【００１４】
上記貫通孔を開閉する蓋を備えていることが好ましい。【００１５】
このようにすると、滑走型船舶が一時的に航行を停止するときや無人状態で港に停泊するときなど、揺れが問題にならない場合には、貫通孔を蓋で閉めることによって水が水槽内に入らないようにしておくと船舶が軽くなり、再出発時に加速が良くなって省エネルギーとなる。また、蓋は船内からのハンドルやスイッチ等の操作によって開閉できることが好ましい。【００１６】
船体は、船底を形成する船底板と、船側面および船首を形成する左右の船側板と、船尾を形成する船尾板と、船尾板と船側板の前部との間において船舶進行方向にのび船底板の上面に下面が固定された複数本の縦通し板とを有しており、１対の縦通し板の上部間に天板が設置されることにより、１対の縦通し板および天板と、これらを囲む船底板、船尾板および船側板の各部分によって前記水槽が形成されており、前記貫通孔が船尾板に設けられていることが好ましい。【００１７】
このようにすると、縦通し板および天板によって船舶が補強され、水槽自体の強度も確保される。【００１８】
縦通し板として、既存の船舶に設けられているものが使用され、追加の加工として、天板の設置、貫通孔の形成および連通管の設置のみが施されていることが好ましい。【００１９】
この発明による滑走型船舶が対象としている小型船舶では、通常、船首から船尾まで延びる補強材としての縦通し板が設けられている。したがって、既存の船舶に設けられているこの縦通し板を使用することで、追加の加工としては、天板の設置、貫通孔の形成および連通管の設置のみとすることができ、このようにすることで、既存の船舶に容易に揺れ防止装置を追加することができる。【００２０】
天板の材料は特に限定されないが、この種船舶の船体（縦通し板も）は、通常、ＦＲＰ（繊維強化プラスチック）で形成されているので、天板もＦＲＰとすることで、施工が容易となる。【００２１】
船体の左右両側にそれぞれ１つずつエンジンが配置されており、前記水槽は、中央に１つ配置されていることがあり、また、船体の中央にエンジンが配置されており、前記水槽は、エンジンを挟むように２つ互いに平行となるように左右に配置されていることがある。【００２２】
既存の船舶に設けられている縦通し板は、例えば、左右対称状に４つ設けられており、この場合に、左右それぞれの２つの縦通し板によって左右のエンジンを支持するタイプがあり、また、中央の２つの縦通し板によって中央のエンジンを支持するタイプがある。前者の場合には、中央の２つの縦通し板によって水槽を形成し、後者の場合には、左右それぞれの２つの縦通し板によって左右の水槽を形成することで、いずれのタイプについても、既存の縦通し板を利用して、揺れ防止のための水槽を設けることができる。
【発明の効果】
【００２３】
この発明の滑走型船舶によると、停船時における船体外部から水槽内への水の導入および航行時における水槽内から船体外部への水の排出は、停船および航行に伴って行われ、これにより、停船時における船舶の揺れが防止されるとともに、航行の妨げになることを防止するための作業に手間がかかることも防止される。
【図面の簡単な説明】
【００２４】
【図１】図１は、この発明による滑走型船舶の第１実施形態を示す背面図で、停船状態を示している。
【図２】図２は、第１実施形態の停船状態の横断面図である。
【図３】図３は、第１実施形態の停船状態の縦断面図（揺れ防止装置の中心線に沿う断面図）である。
【図４】図４は、従来の滑走型船舶とこの発明による滑走型船舶とについて、停船状態を比較した縦断面図である。
【図５】図５は、航行状態の縦断面図である。
【図６】図６は、この発明による滑走型船舶の第２実施形態を示す背面図で、停船状態を示している。
【図７】図７は、第２実施形態の停船状態の横断面図である。
【図８】図８は、第２実施形態の停船状態の揺れ防止装置の中心線に沿う断面図である。
【図９】図９は、第３実施形態の停船状態の縦断面図（揺れ防止装置の中心線に沿う断面図）である。
【図１０】図１０は、第３実施形態の航行状態の縦断面図である。
【発明を実施するための形態】
【００２５】
この発明の実施の形態を、以下図面を参照して説明する。
【００２６】
図１から図３は、この発明による滑走型船舶の第１実施形態の停船状態を示しており、船舶(1)は、ＦＲＰ製の船体(2)と、船体(2)の上部外縁に接合されたＦＲＰ製の甲板(3)と、甲板(3)から突き出すように設けられた船室(4)とを備えている。
【００２７】
船体(2)は、船底を形成する船底板(5)と、船側面および船首を形成する左右の船側板(6)と、船尾を形成する船尾板(7)と、船尾板(7)と左右船側板(6)の前部との間において船舶進行方向にのび船底板(5)の上面に下面が固定された４本の縦通し板(8)(9)とを有している。
【００２８】
４本の縦通し板(8)(9)は、左右対称に配置されており、左右それぞれの２つの縦通し板(8)(9)の間に、エンジンマウントに支持されたエンジン(10)がそれぞれ配置されていることで、船舶(1)は、左右２基のエンジンを有するものとなっている。
【００２９】
上記は、従来の滑走型船舶と同じ構成であり、この発明による滑走型船舶(1)には、さらに、揺れ防止装置(11)が設けられている。
【００３０】
揺れ防止装置(11)は、水を溜めるための水槽(12)を有している。中央寄りにある２つの縦通し板(8)の上端間に、天板(13)が渡し止められており、１対の縦通し板(8)および天板(13)と、船底板(5)の一部、船尾板(7)の一部および左右の船側板(6)の船首側の端部とが密閉空間を形成することで、水槽(12)が形成されている。
【００３１】
船尾板(7)には、水槽(12)への水（海水または淡水）の出入りを可能とする貫通孔(14)が設けられている。貫通孔(14)は、船尾板(7)（水槽(12)の船尾側の壁）における喫水線（すなわち、水面(H)）よりも下方位置に設けられており、これにより、停船時には、水槽(12)に水が流入し、水槽(12)が水で満たされる。
【００３２】
図３に示すように、水槽(12)の前端部（船首側）には、水槽(11)への空気の出入りを容易とする連通管(15)が設けられている。連通管(15)は、一端が天板(13)の前端部に設けられた貫通孔(13a)に挿入されており、他端が船側板(6)の船首側の端部に設けられた貫通孔(6a)に挿入されている。停船時に水槽(12)に水が流入する際、水槽(12)内の空気は連通管(15)を介して外部に逃げていき、船首側の水槽(12)内圧力が大気圧に維持される。これにより、水槽(12)内の空気に妨げられることなく、水槽(12)内が水で満たされる。
【００３３】
水槽(12)、貫通孔(14)および連通管(15)によって、揺れ防止装置(11)が形成されている。ここで、水槽(12)を形成している縦通し板(8)、船底板(5)、船尾板(7)および船側板(6)は、既存の船舶に設けられているものが使用されており、追加の加工としては、天板(13)の設置、貫通孔(14)の形成および連通管(15)の設置のみが施されることで、揺れ防止装置(11)が形成されている。
【００３４】
図４には、図２に示したこの実施形態の船舶(1)と従来の船舶(P)とを比較した図を示している。この実施形態の船舶(1)では、水槽(12)内が水で満たされることにより、従来の船舶(P)に比べて船舶(1)の総重量が増加して、喫水線(L1)が従来の船舶(P) の喫水線(L2)よりも上がり、また、船底側が相対的に重くなって、重心が下がる。したがって、停船時における揺れが従来の船舶(P)に比べて小さくなる。
【００３５】
滑走型の船舶(1)では、航行を開始して、走行速度がある値以上になると、図５に示すように、船首が浮き上がって、船尾の水が切れ始める。このため、停船時に水平であった水槽(12)は、船首側が上になるように傾き、船尾側で水が切れていることから、船尾板(7)に設けられた貫通孔(14)を介して船体(2)外に排出されて、水槽(12)が空になる。連通管(15)が設けられていることにより、水槽(12)内から船体(2)外部の空間へ水が排出されるに際し、船首側の水槽(12)内圧力が大気圧に維持され、水の排出が容易となる。
【００３６】
航行時において、水槽(12)内が水で満たされている状態だと、抵抗が大きくなって走行性能が低下するが、航行時には、水槽(12)が空になることで、抵抗の増大要因がなくなる。揺れの防止装置を備えていない船舶と比べた場合には、天板(13)および連通管(15)の重量増加分が抵抗要因となるが、天板(13)による船体(2)の補強は、走行性能の向上に寄与することができ、揺れの防止装置(11)が船舶(1)の航行の妨げになることが防止される。しかも、水槽(12)内の水の排出には（導入にも）、人手が不要であり、航行の妨げになることを防止するための作業に全く手間がかからない。
【００３７】
図６から図８は、この発明による船舶の第２実施形態（停船状態）を示している。
【００３８】
第２実施形態の船舶(20)は、第１実施形態の船舶(1)に対して、エンジン(26)が左右の中央に１基設けられている点で相違している。縦通し板(8)(9)を含む船体(2)の形状は、第１実施形態と同じとされている。
【００３９】
上記は、従来の滑走型船舶と同じ構成であり、この発明による滑走型船舶(20)には、さらに、揺れ防止装置(21)が設けられている。
【００４０】
揺れ防止装置(21)は、水を溜めるための左右の水槽(22)を有している。左右それぞれの２つの縦通し板(8)(9)の上端間に、天板(23)が渡し止められており、これにより、２対の縦通し板(8)(9)および天板(23)と、船底板(5)の一部、船尾板(7)の一部および左右の船側板(6)の船首側の端部とが密閉空間を形成することで、水槽(22)が形成されている。
【００４１】
船尾板(7)には、各水槽(22)への水（海水または淡水）の出入りを可能とする貫通孔(24)が、船尾板(7)（水槽(22)の船尾側の壁）における喫水線（すなわち、水面(H)）よりも下方位置に設けられている。また、各水槽(22)の前端部（船首側）には、水槽(11)への空気の出入りを容易とする連通管(25)が設けられている。
【００４２】
こうして、追加の加工としては、天板(23)の設置、貫通孔(24)の形成および連通管(25)の設置のみが施されることで、揺れ防止装置(21)が形成されている。
【００４３】
第１実施形態の図４および図５に対応する図は省略するが、第２実施形態の船舶(20)でも、第１実施形態のものと同様、停船時における揺れが従来の船舶(P)に比べて小さくなるとともに、揺れの防止装置(21)が船舶(20)の航行の妨げになることが防止され、しかも、航行の妨げになることを防止するための作業に全く手間がかからない。
【００４４】
図９は、この発明による船舶の第３実施形態（停船状態）を示している。この実施形態は、上記第１実施形態の船舶に蓋(26)を備えたものである。船舶が、一時的に航行を停止するときや無人状態で港に停泊するときなど、揺れが問題にならない場合には、速度が低下して、貫通孔(14)を通じて水が流入する前に貫通孔(14)を蓋(26)で閉めることによって水が水槽(12)内に入らないようにしておくことができる。これにより、長期にわたって停泊しても貝や藻などが水槽内で生育することがなく、また、船舶(1)が軽くなり、再出発時に加速が良くなって省エネルギーとなる。
【００４５】
図１０は、この発明による船舶の第３実施形態（航行状態）を示している。航行を開始して、走行速度がある値以上になると、図５に示すように、船首が浮き上がって、船尾の水が切れ始める。この時に閉めていた蓋(26)を開けても貫通孔(14)を通じて水槽(12)内に入ることなく航行することができる。
【００４６】
上記において、縦通し板(8)(9)は、図示したもの限定されるものではなく、水槽は、既存の縦通し板を利用して、適宜、設置することができ、必要であれば、水槽形成のために別途の縦通し材を追加するようにしてもよい。
【００４７】
本国際出願は、２０１４年１１月１９日に出願した日本国特許出願第２０１４−２３４７０５号に基づく優先権を主張するものであり、日本国特許出願第２０１４−２３４７０５号の全内容を本国際出願に援用する。
【符号の説明】
【００４８】
(1)：船舶、(2)：船体、(5)：船底版、(6)：船側板、(7)：船尾板、(8) (9)：縦通し板、(10)：エンジン、(11)：揺れ防止装置、(12)：水槽、(13)：天板、(14)：貫通孔、(15)：連通管、(20)：船舶、(21)：揺れ防止装置、(22)：水槽、(23)：天板、(24)：貫通孔、(25)：連通管、(26)：蓋
【図１】
2016080272.tif 000003
【図２】
2016080272.tif 000004
【図３】
2016080272.tif 000005
【図４】
2016080272.tif 000006
【図５】
2016080272.tif 000007
【図６】
2016080272.tif 000008
【図７】
2016080272.tif 000009
【図８】
2016080272.tif 000010
【図９】
2016080272.tif 000011
【図１０】
2016080272.tif 000012
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
船底上に水槽が設けられており、水槽の船尾側の壁における喫水線よりも下方位置に、貫通孔が形成されている滑走型船舶であって、
船体は、船底を形成する船底板と、船側面および船首を形成する左右の船側板と、船尾を形成する船尾板と、船尾板と船側板の前部との間において船舶進行方向にのび船底板の上面に下面が固定された複数本の縦通し板とを有しており、
水槽は、既存の船舶にある１対の縦通し板を使用して形成されていることを特徴とする滑走型船舶。
【請求項２】
天板の船首側端部に、水槽内と水槽外とを連通するための連通管が設置されていることを特徴とする請求項１の滑走型船舶。
【請求項３】
貫通孔を開閉する蓋を備えている請求項１の滑走型船舶。
【請求項４】
貫通孔を開閉する蓋を備えている請求項２の滑走型船舶。
【請求項５】
１対の縦通し板の上部間に天板が設置されることにより、１対の縦通し板および天板と、これらを囲む船底板、船尾板および船側板の各部分によって前記水槽が形成されており、前記貫通孔が船尾板に設けられていることを特徴とする請求項１から４までのいずれかの滑走型船舶。
【請求項６】
船体の左右両側にそれぞれ１つずつエンジンが配置されており、前記水槽は、中央に１つ配置されていることを特徴とする請求項１から４までのいずれかに記載の滑走型船舶。
【請求項７】
船体の中央にエンジンが配置されており、前記水槽は、エンジンを挟むように２つ互いに平行となるように左右に配置されていることを特徴とする請求項１から４までのいずれかに記載の滑走型船舶。
【請求項８】
請求項５の滑走型船舶の製造方法であって、縦通し板として、既存の船舶に設けられているものを使用する工程と、天板を設置する工程と、貫通孔を形成する工程と、連通管を設置する工程とからなる滑走型船舶の製造方法。
【手続補正２】
【補正対象書類名】明細書
【補正対象項目名】０００７
【補正方法】変更
【補正の内容】
【０００７】
この発明による滑走型船舶は、船底上に水槽が設けられており、水槽の船尾側の壁における喫水線よりも下方位置に、貫通孔が形成されている滑走型船舶であって、船体は、船底を形成する船底板と、船側面および船首を形成する左右の船側板と、船尾を形成する船尾板と、船尾板と船側板の前部との間において船舶進行方向にのび船底板の上面に下面が固定された複数本の縦通し板とを有しており、水槽は、既存の船舶にある１対の縦通し板を使用して形成されていることを特徴とするものである。
【国際調査報告】
2016080272.tif 000013
2016080272.tif 000014
2016080272.tif 000015
2016080272.tif 000016